(57)【特許請求の範囲】
【請求項１】
手摺笠木の軸方向に沿う側面を保持する受止部と、この受止部の下部に延在する係止部とからなる上部ブラケットと、支持部材に立設され、上端部に前記上部ブラケットの係止部の内方面を接触して係止する係止受部を有する下部ブラケットと、前記上部ブラケットの係止部と下部ブラケットの係止受部とを締め付ける固定ボルト及びこの固定ボルトに螺合するナットと、を具備する手摺用ブラケットであって、
前記上部ブラケットの係止部は、前記固定ボルトを貫通する取付孔と、この取付孔と同心軸線上に突出する係止突軸とを形成すると共に、この係止突軸の少なくとも下面部に突出方向に向かって漸次狭小となる狭小テーパ面を形成し、
前記下部ブラケットの係止受部に、前記係止突軸の狭小テーパ面が摺動可能に接触する拡開テーパ面を形成してなる、
ことを特徴とする手摺用ブラケット。
【請求項２】
請求項１記載の手摺用ブラケットにおいて、
前記上部ブラケットの係止部の内方面に、前記取付孔と同心円上に突出する筒状部を形成し、
前記下部ブラケットの係止受部に、前記筒状部の内面が摺動及び回動可能に接触する角度調整面を形成してなる、
ことを特徴とする手摺用ブラケット。
【請求項３】
請求項１又は２記載の手摺用ブラケットにおいて、
前記上部ブラケットは、前記下部ブラケットの係止受部を挟持する一対の部材で構成され、
前記下部ブラケットは、前記拡開テーパ面が縦中心を境にして両側に向かって形成される、
ことを特徴とする手摺用ブラケット。
【発明の詳細な説明】
【技術分野】
【０００１】
この発明は、例えば玄関先のアプローチに設けられる手摺に用いられる手摺用ブラケットに関するものである。
【背景技術】
【０００２】
近年、玄関先にアプローチ手摺を設けることが多く行われている。この場合、建物の形態により長さや傾斜などが様々であり、これらに対応するために傾斜角度や高さの調整部を有する手摺が用いられている。
【０００３】
また、高齢化等により、手摺にかかる荷重が大きくなり、より確実に固定できて安全な手摺が必要とされている。
【０００４】
従来、この種の手摺として、手摺笠木を受止部にて挟持する一対の挟持部材の支持部に突合面を設けると共に、少なくとも一方の突合面のボルトによる締付位置より下方部分が、他方の突合面側へ突出するような形状とすることにより、挟持部材の受止部の先端と手摺笠木の間の隙間をなくして、締め付けを行う構造の手摺用ブラケットが知られている（例えば、特許文献１参照）。
【０００５】
また、特許文献１の手摺用ブラケットにおいては、支柱等の接続金具の頂部に設けられた二又部に上記挟持部材を挿入し、ボルトによって取り付けることで、手摺笠木の角度を調整可能にしている。
【特許文献１】特開２００５−１２０５９２号公報（特許請求の範囲、図１，図２）
【発明の開示】
【発明が解決しようとする課題】
【０００６】
しかしながら、特許文献１の手摺用ブラケットにおいては、角度調整部は、ボルトの軸方向の力により発生する接合面同士の摩擦力によって固定する構造であるため、締め付けが不十分であり、ガタツキが生じる虞があった。
【０００７】
また、特許文献１の手摺用ブラケットにおいては、手摺の角度調整部と手摺笠木の受止部を有する挟持部材の締め付け部との２箇所を設けるため、構造が複雑であり、取付作業に手間を要するという問題があった。
【０００８】
この発明は、前記事情に鑑みてなされたもので、角度調整部の締め付け及び手摺笠木の固定を同時に行えるようにすると共に、強固な固定を可能にした手摺用ブラケットを提供することを目的とするものである。
【課題を解決するための手段】
【０００９】
前記目的を達成するために、請求項１記載の発明は、手摺笠木の軸方向に沿う側面を保持する受止部と、この受止部の下部に延在する係止部とからなる上部ブラケットと、支持部材に立設され、上端部に前記上部ブラケットの係止部の内方面を接触して係止する係止受部を有する下部ブラケットと、前記上部ブラケットの係止部と下部ブラケットの係止受部とを締め付ける固定ボルト及びこの固定ボルトに螺合するナットと、を具備する手摺用ブラケットであって、  前記上部ブラケットの係止部は、前記固定ボルトを貫通する取付孔と、この取付孔と同心軸線上に突出する係止突軸とを形成すると共に、この係止突軸の少なくとも下面部に突出方向に向かって漸次狭小となる狭小テーパ面を形成し、  前記下部ブラケットの係止受部に、前記係止突軸の狭小テーパ面が摺動可能に接触する拡開テーパ面を形成してなる、ことを特徴とする。
【００１０】
このように構成することにより、手摺笠木を保持する上部ブラケットの係止部と、支持部材に立設される下部ブラケットとを固定ボルト及びナットによって締め付けることにより、係止部の係止突軸に形成された狭小テーパ面が、係止受部に形成された拡開テーパ面に密接して、固定ボルト及びナットの締め付け力だけで上部ブラケットと下部ブラケットを固定することができる。
【００１１】
この発明において、前記上部ブラケットの係止部の内方面に、前記取付孔と同心円上に突出する筒状部を形成し、前記下部ブラケットの係止受部に、前記筒状部の内面が摺動及び回動可能に接触する角度調整面を形成する方が好ましい（請求項２）。
【００１２】
このように構成することにより、上部ブラケットと下部ブラケットの連結状態において、上部ブラケットの取付孔と同心円上に突出する筒状部の内面を、下部ブラケットの係止受部に形成された角度調整面に摺動及び回動可能に接触することができ、手摺笠木の角度調整を容易にすることができる。
【００１３】
また、この発明において、前記上部ブラケットは、前記下部ブラケットの係止受部を挟持する一対の部材で構成され、前記下部ブラケットは、前記拡開テーパ面が縦中心を境にして両側に向かって形成される構成としてもよい（請求項３）。
【００１４】
このように構成することにより、上部ブラケットを同一形状の一対の部材にて形成することができ、かつ、一対の上部ブラケットと下部ブラケットの連結と同時に、手摺笠木の固定を行うことができる。
【発明の効果】
【００１５】
以上に詳述したように、この発明の手摺用ブラケットによれば、前記のように構成されているので、以下の効果が得られる。
【００１６】
（１）請求項１記載の発明によれば、角度調整可能に連結される上部ブラケットと下部ブラケットの締め付け力（摩擦力）を高めた強固な固定とすることができる。
【００１７】
（２）請求項２記載の発明によれば、上記（１）に加えて、更に上部ブラケットと下部ブラケットの連結状態において、上部ブラケットの取付孔と同心円上に突出する筒状部の内面を、下部ブラケットの係止受部に形成された角度調整面に摺動及び回動可能に接触することができ、手摺笠木の角度調整を容易にすることができる。
【００１８】
（３）請求項３記載の発明によれば、上記（１），（２）に加えて、更に上部ブラケットを同一形状の一対の部材にて形成することができるので、部品の保守・管理が容易な上、取付作業を容易にすることができる。また、一対の上部ブラケットと下部ブラケットの連結と同時に、手摺笠木の固定を行うことができるので、更に取付作業の効率性の向上が図れる。
【発明を実施するための最良の形態】
【００１９】
以下に、この発明の最良の実施形態について、添付図面に基づいて詳細に説明する。
【００２０】
図１は、この発明に係る手摺用ブラケットを用いた手摺の全体を示す斜視図、図２は、図１のＩ−Ｉ線に沿う要部拡大断面図、図３は、図１のII部の一部を断面で示す拡大断面図である。
【００２１】
前記手摺は、玄関先のアプローチにおける階段部１に立設される支持部材である支柱２に取り付けられる手摺用ブラケット１０と、建物の壁部３に固定される支持部材である支持金具４に取り付けられる手摺用ブラケット１０Ｂによって支持される屈曲変形可能な手摺笠木５を具備している。
【００２２】
＜第１実施形態＞
第１実施形態の手摺用ブラケット１０は、図２ないし図４に示すように、手摺笠木５の軸方向に沿う側面を保持する受止部１１と、この受止部１１の下部に延在する係止部１２とからなる一対の上部ブラケット１３ａ，１３ｂと、支柱２に立設され、上端部に上部ブラケット１３ａ，１３ｂの係止部１２の内方面を接触して係止する係止受部１４を有する下部ブラケット１５と、上部ブラケット１３ａ，１３ｂの係止部１２と下部ブラケット１５の係止受部１４とを締め付ける固定ボルト３０及びこの固定ボルト３０に螺合する袋ナット３１とで主に構成されている。
【００２３】
前記手摺笠木５は、例えば金属製パイプ心材６の外周を、例えば耐候性を有する合成樹脂製のカバー材７で被覆した構造となっている。この場合、パイプ心材６は直径が約１５ｍｍに形成され、カバー材７は直径が約３０ｍｍに形成されており、人の手によって階段部１の傾斜等に合わせた角度に屈曲可能に形成されている。
【００２４】
前記上部ブラケット１３ａ，１３ｂは、例えばアルミダイキャストにて形成されている。この上部ブラケット１３ａ，１３ｂは、手摺笠木５の軸方向に沿う一側面を保持する湾曲状の受止部１１と、この受止部１１の下部中央から下方に延在する先端が円弧状の係止部１２とからなり、係止部１２には、固定ボルト３０を貫通する取付孔１６と、この取付孔１６と同心軸線上に突出する係止突軸１７とが形成されている。係止突軸１７は突出方向に向かって漸次狭小となる狭小テーパ面１８が形成されている。この場合、係止突軸１７は円筒状に形成されているが、少なくとも下面部に狭小テーパ面１８が形成されていれば、１つの扇状あるいは複数の扇状にて形成したものであってもよい。なお、係止突軸１７を半円筒状に形成する場合は、強度を高めるために肉厚を厚くする方が好ましい。
【００２５】
また、係止部１２の内方面には、取付孔１６と同心円上に突出する筒状部１９が形成されている。この場合、筒状部１９の内周面は、係止部１２の内方面側の開口部に向かって拡開テーパ状に形成されている（図２参照）。また、係止部１２の外方面の取付孔１６の開口部には、固定ボルト３０の円柱状の頭部３０ａ又は六角状の袋ナット３１が収納可能な凹所２０が設けられている。なお、固定ボルト３０の頭部３０ａには六角穴３０ｂが設けられており、例えば六角レンチ等の工具によって固定ボルト３０の締め付け等が行えるようになっている。
【００２６】
なお、受止部１１には、貫通孔２１が設けられており、この貫通孔２１を貫通する止めねじ２２によって受止部１１により保持される手摺笠木５が固定されるようになっている。
【００２７】
なお、係止部１２の内方面における受止部１１の近傍部位の両側の一方には、位置決めピン２３が突設され、他方には位置決め用穴２４が設けられている。この位置決めピン２３と位置決め用穴２４は、対をなす一方の上部ブラケット１３ａと他方の上部ブラケット１３ｂにおいて、対称位置に設けられており、一方の上部ブラケット１３ａに設けられた位置決めピン２３が他方の上部ブラケット１３ｂに設けられた位置決め用穴２４に嵌合し、一方の上部ブラケット１３ａに設けられた位置決め用穴２４が他方の上部ブラケット１３ｂに設けられた位置決めピン２３に嵌合するように構成されている。
【００２８】
前記下部ブラケット１５は、上部ブラケット１３ａ，１３ｂと同様に、例えばアルミダイキャストにて形成されている。この下部ブラケット１５は、支柱２の上端部に筒状キャップ部材４０を介して高さ調整可能に挿入されるパイプ部材４１の上端部内に挿入される脚部２５と、この脚部２５の上端に外向きフランジ部２６を介して立設する、上端が略円筒形状の係止受部１４とで構成されている。係止受部１４には、前記固定ボルト３０が挿通可能な取付孔１６ａが設けられており、この取付孔１６ａには、縦中心を境にして両側に向かって上記係止突軸１７の狭小テーパ面１８が摺動可能に接触する拡開テーパ面２７が形成されている。
【００２９】
また、係止受部１４の外周には、縦中心を境にして両側に向かって上記上部ブラケット１３ａ，１３ｂの筒状部１９の内面が摺動及び回動可能に接触する角度調整面２８が形成されている。この角度調整面２８は、先端に向かって狭小テーパ状に形成されている（図２参照）。
【００３０】
なお、脚部２５の下端には固定ねじ４２によってばね性を有する皿状の抜け防止金具４３が止着されている。したがって、パイプ部材４１内に挿入される脚部２５は抜け止め防止金具４３の弾発力によってパイプ部材４１内に圧入・固定される。
【００３１】
なお、筒状キャップ部材４０内に高さ調整可能に挿入されるパイプ部材４１は、図３及び図４に示すように、支柱２の上部の一側の上下２箇所に設けられた貫通孔４４を挿通する止めねじ４５を、筒状キャップ部材４０の一側の上下２箇所に刻設されたねじ孔４６に螺入し、止めねじ４５の先端をパイプ部材４１の側面に押圧することで固定されるようになっている。
【００３２】
次に、上記のように構成される手摺用ブラケットを用いて手摺笠木５を取り付ける手順について説明する。まず、両上部ブラケット１３ａ，１３ｂの受止部１１を手摺笠木５の軸方向の側面に沿わせた状態で、両上部ブラケット１３ａ，１３ｂの係止部１２間に下部ブラケット１５の係止受部１４を位置させる。次に、係止部１２に設けられた係止突軸１７の狭小テーパ面１８を係止受部１４に設けられた取付孔１６ａの拡開テーパ面２７に摺接させると共に、係止部１２に設けられた筒状部１９の内周面を係止受部１４に設けられた角度調整面２８に摺接させる。この際、筒状部１９の内周面は開口部に向かって拡開テーパ状に形成され、角度調整面２８は先端に向かって狭小テーパ状に形成されているので、上部ブラケット１３ａ，１３ｂの係止突軸１７を下部ブラケット１５の係止受部１４の取付孔１６ａの中心位置に寄せることができ、心出しを容易にすることができる。次に、一方の上部ブラケット１３ａの取付孔１６から固定ボルト３０を挿入して、係止受部１４の取付孔１６ａと他方の上部ブラケット１３ｂの取付孔１６を貫通し、固定ボルト３０の突出部に袋ナット３１を螺合して締め付けて、係止部１２と係止受部１４とを固定すると共に、両上部ブラケット１３ａ，１３ｂの受止部１１によって手摺笠木５を挟持する。この際、上部ブラケット１３ａ，１３ｂと下部ブラケット１５は、狭小テーパ面１８と拡開テーパ面２７が摺接すると共に、筒状部１９の内周面と角度調整面２８が回動可能に摺接するので、手摺笠木５の傾斜角度を調整することができる。また、固定ボルト３０と袋ナット３１を螺合して係止部１２と係止受部１４とを締め付けることにより、狭小テーパ面１８と拡開テーパ面２７の嵌合が楔状となり、締め付け力（摩擦力）を高めた強固な固定とすることができる。
【００３３】
なお、手摺笠木５は受止部１１の貫通孔２１を貫通する止めねじ２２によって上部ブラケット１３ａ，１３ｂに固定される。また、下部ブラケット１５をパイプ部材４１に圧入・固定し、パイプ部材４１を支柱２に対して高さ調整することによって手摺笠木５を任意の高さに調整することができる。
【００３４】
＜第２実施形態＞
次に、この発明に係る手摺用ブラケットの第２実施形態について、図５及び図６を参照して説明する。
【００３５】
図５は、第２実施形態の手摺用ブラケット１０Ａを示す分解斜視図、図６は、第２実施形態の手摺笠木の取付状態を示す拡大断面図である。
【００３６】
第２実施形態の手摺用ブラケット１０Ａは、上部ブラケット１３ａ，１３ｂの係止部１２Ａに設けられる係止突軸１７Ａが、下面部が先端に向かって狭小テーパ面１８Ａとなる半円筒状に形成されている。なお、係止突軸１７Ａの中心には、第１実施形態と同様に取付孔１６が設けられている。また、係止部１２Ａの内方面には、係止突軸１７Ａの中心すなわち取付孔１６と同心円上に突出する半円よりもやや小さな筒状部１９Ａが形成されている。
【００３７】
一方、下部ブラケット１５Ａは、支持部材である支柱２Ａに対して高さ調整可能に立設される板状の脚部２５Ａと、この脚部２５Ａの上端に形成される上方が開放する半円筒状の係止受部１４Ａとを具備しており、係止受部１４Ａの内周側には、縦中心を境にして両側に向かって上記係止突軸１７Ａの狭小テーパ面１８Ａが摺動可能に接触する拡開テーパ面２７Ａが形成されている。
【００３８】
また、係止受部１４Ａの半円弧状の外周には、縦中心を境にして両側に向かって上記上部ブラケット１３ａ，１３ｂの筒状部１９Ａの内面が摺動及び回動可能に接触する半円弧状の角度調整面２８Ａが形成されている。
【００３９】
なお、下部ブラケット１５Ａの脚部２５は、支柱２Ａの上端開口部内に嵌入されるキャップ部材４０Ａの上端蓋部４７に設けられた長孔４８内に挿入され、支柱２Ａの上端部の一側の上下２箇所に設けられた貫通孔４４を挿通する止めねじ４５を、キャップ部材４０Ａの一側の上下２箇所に刻設されたねじ孔４６に螺入し、止めねじ４５の先端を脚部２５Ａの側面に押圧することで固定されるようになっている。
【００４０】
なお、第２実施形態において、その他の部分は第１実施形態と同じであるので、同一部分には同一符号を付して説明は省略する。
【００４１】
上記のように構成される第２実施形態の手摺用ブラケットを用いて手摺笠木５を取り付ける手順は、第１実施形態と同様に行うことができる。すなわち、まず、両上部ブラケット１３ａ，１３ｂの受止部１１を手摺笠木５の軸方向の側面に沿わせた状態で、両上部ブラケット１３ａ，１３ｂの係止部１２Ａ間に下部ブラケット１５Ａの係止受部１４Ａを位置させる。次に、係止部１２Ａに設けられた係止突軸１７Ａの狭小テーパ面１８Ａを係止受部１４Ａに設けられた取付孔１６の拡開テーパ面２７Ａに摺接させると共に、係止部１２Ａに設けられた筒状部１９Ａの内周面を係止受部１４Ａに設けられた角度調整面２８Ａに摺接させる。そして、一方の上部ブラケット１３ａの取付孔１６から固定ボルト３０を挿入して、係止受部１４Ａの取付孔１６と他方の上部ブラケット１３ｂの取付孔１６を貫通し、固定ボルト３０の突出部に袋ナット３１を螺合して締め付けて、係止部１２Ａと係止受部１４Ａとを固定すると共に、両上部ブラケット１３ａ，１３ｂの受止部１１によって手摺笠木５を挟持する。この際、上部ブラケット１３ａ，１３ｂと下部ブラケット１５Ａは、狭小テーパ面１８Ａと拡開テーパ面２７Ａが摺接すると共に、筒状部１９Ａの内周面と角度調整面２８Ａが回動可能に摺接するので、手摺笠木５の傾斜角度を調整することができる。また、固定ボルト３０と袋ナット３１を螺合して係止部１２Ａと係止受部１４Ａとを締め付けることにより、狭小テーパ面１８と拡開テーパ面２７の嵌合が楔状となり、締め付け力（摩擦力）を高めた強固な固定とすることができる。
【００４２】
＜第３実施形態＞
次に、この発明に係る手摺用ブラケットの第３実施形態について、図７及び図８を参照して説明する。
【００４３】
図７は、第３実施形態の手摺用ブラケット１０Ｂを示す分解斜視図、図８は、第３実施形態の手摺笠木の取付状態を示す、図１のIII−III線に沿う拡大断面図である。
【００４４】
第３実施形態は、この発明に係る手摺用ブラケット１０Ｂを建物の壁部３に固定される支持部材である支持金具４に取り付けた場合である。この第３実施形態においては、下部ブラケット１５Ｂの脚部２５Ｂが、壁部３に固定される支持金具４に連結される連結部２９を一体に形成した点で、第２実施形態と相違する以外は、第２実施形態と同様に構成されている。
【００４５】
第３実施形態において、支持金具４は、円板状の取付ブラケット４ａの表面に下向きの半円筒状の支持部４ｂを有し、この支持部４ｂの中央部内方に係止ブロック部４ｃが設けられ、この係止ブロック部４ｃには、下面に開口するねじ孔４ｄが刻設されている。
【００４６】
一方、下部ブラケット１５Ｂは、下方に向かって拡径する円弧状部を有する脚部２５Ｂの一側面に、断面略かまぼこ形状の連結部２９を突設してなる。また、連結部２９には上下に開口する矩形状のガイド孔２９ａが設けられており、このガイド孔２９ａ内に、支持金具４の係止ブロック部４ｃを挿入し、座金４９を介して連結ボルト５０を係止ブロック部４ｃのねじ孔４ｄに螺合することで、支持金具４と下部ブラケット１５Ｂとが連結されるようになっている。
【００４７】
なお、第３実施形態において、その他の部分は第２実施形態と同じであるので、同一部分には同一符号を付して説明は省略する。
【００４８】
第３実施形態の手摺用ブラケットを用いて手摺笠木５を取り付ける手順は、第２実施形態と同様に行うことができる。すなわち、まず、両上部ブラケット１３ａ，１３ｂの受止部１１を手摺笠木５の軸方向の側面に沿わせた状態で、両上部ブラケット１３ａ，１３ｂの係止部１２Ａ間に下部ブラケット１５Ｂの係止受部１４Ａを位置させる。次に、係止部１２Ａに設けられた係止突軸１７Ａの狭小テーパ面１８Ａを係止受部１４Ａに設けられた取付孔１６の拡開テーパ面２７に摺接させると共に、係止部１２Ａに設けられた筒状部１９Ａの内周面を係止受部１４Ａに設けられた角度調整面２８Ａに摺接させる。そして、一方の上部ブラケット１３ａの取付孔１６から固定ボルト３０を挿入して、係止受部１４Ａの取付孔１６と他方の上部ブラケット１３ｂの取付孔１６を貫通し、固定ボルト３０の突出部に袋ナット３１を螺合して締め付けて、係止部１２Ａと係止受部１４Ａとを固定すると共に、両上部ブラケット１３ａ，１３ｂの受止部１１によって手摺笠木５を挟持する。この際、上部ブラケット１３ａ，１３ｂと下部ブラケット１５Ｂは、狭小テーパ面１８Ａと拡開テーパ面２７Ａが摺接すると共に、筒状部１９Ａの内周面と角度調整面２８Ａが回動可能に摺接するので、手摺笠木５の傾斜角度を調整することができる。また、固定ボルト３０と袋ナット３１を螺合して係止部１２Ａと係止受部１４Ａとを締め付けることにより、狭小テーパ面１８Ａと拡開テーパ面２７Ａの嵌合が楔状となり、締め付け力（摩擦力）を高めた強固な固定とすることができる。
【図面の簡単な説明】
【００４９】
【図１】この発明に係る手摺用ブラケットを用いた手摺の全体を示す斜視図である。
【図２】図１のＩ−Ｉ線に沿う要部拡大断面図である。
【図３】図１のII部の一部を断面で示す拡大断面図である。
【図４】この発明に係る手摺ブラケットの第１実施形態を示す分解斜視図である。
【図５】この発明に係る手摺ブラケットの第２実施形態を示す分解斜視図である。
【図６】第２実施形態の手摺笠木の取付状態を示す拡大断面図である。
【図７】この発明に係る手摺ブラケットの第３実施形態を示す分解斜視図である。
【図８】図１のIII−III線に沿う第３実施形態の要部拡大断面図である。
【符号の説明】
【００５０】
２，２Ａ  支柱（支持部材）
４  支持金具（支持部材）
５  手摺笠木
１０，１０Ａ，１０Ｂ  手摺用ブラケット
１１  受止部
１２，１２Ａ  係止部
１３ａ，１３ｂ  上部ブラケット
１４，１４Ａ  係止受部
１５，１５Ａ，１５Ｂ  下部ブラケット
１６，１６ａ  取付孔
１７，１７Ａ  係止突軸
１８，１８Ａ  狭小テーパ面
１９，１９Ａ  筒状部
２５，２５Ａ，２５Ｂ  脚部
２７，２７Ａ  拡開テーパ面
２８，２８Ａ  角度調整面
３０  固定ボルト
３１  袋ナット
【図１】
0004850146.tif 000002
【図２】
0004850146.tif 000003
【図３】
0004850146.tif 000004
【図４】
0004850146.tif 000005
【図５】
0004850146.tif 000006
【図６】
0004850146.tif 000007
【図７】
0004850146.tif 000008
【図８】
0004850146.tif 000009